Podtech/llm-jp-corpus-v4-ja_patent huggingface dataset:
(57)【要約】【課題】  多様な場所、長時間の片肩掛け草刈払機作業の安全性と作業効率が向上する肩に優しい肩当てを提供する。【解決手段】片肩掛け草刈払機を肩全体で支持する、厚みがあり可撓性のある鞍状の肩当てで、当該鞍状肩当てに草刈払機付属の肩当て及び吊り下げ用ベルトを繋止用面テープまたは、紐で繋止し使用することを特徴とする片肩掛け草刈払機用肩当て。【選択図】図５
2020120646.tif 000002
【特許請求の範囲】
【請求項１】
肩全体で支える鞍状（逆Ｕ字状）で可撓性がある肩当てを作成し、この肩当てに草刈払機付属の肩当て及び吊り下げ用ベルトを懸止（挿通）する。
【発明の詳細な説明】
【技術分野】
【０００１】  本発明は、片肩掛け草刈払機に関する。
【背景技術】
【０００２】  一般的に、片肩掛け草刈払機で作業をする際、該草刈払機に付属している肩当て部分が比較的に小さく且つ、平面状の物が殆どで、多様な場所や長時間の作業の際、該肩当て部分が前後にずれ草刈払機吊り下げ用ベルトが肩に食い込み作業がし難い傾向があり特に、長時間の作業には耐え難い苦痛を覚えると云う実情がある。
【先行技術文献】
【０００３】
【実用新案文献１】
平成２−２３４２０
【発明の概要】
【発明が解決しようとする課題】
【０００４】  前述したように片肩掛け草刈払機で作業をする際、一般的に該草刈払機に付属の肩当て部分が比較的に小さく且つ、平面状の製品が多く該肩当てが前後にずれ草刈払機吊り下げ用ベルトの肩への食い込みを防止し作業の安全性と効率向上を解決する。
【課題を解決するための手段】
【０００５】  肩全体で支える鞍状（逆Ｕ字状）で可撓性がある肩当てを作成し、この肩当てに該草刈払機付属の肩当て及び吊り下げ用ベルトを懸止（挿通）し使用する。
【発明の効果】
【０００６】  素材に可撓性があるものを使用することにより、左右どちらに掛けて作業しても違和感はなく、多様な場所や長時間の作業時も安全性に優れ更に、作業効率も上がり疲労感を感じさせないと云う効果がある。
【図面の簡単な説明】
【０００７】
【図１】素材裁断図
【図２】肩当て平面略図
【図３】肩当て正面図
【図４】肩当て斜視図
【図５】肩当て使用正面図
【発明を実施するための形態】
【０００８】  素材に可撓性があるものを使用し肩全体で支える鞍状（逆Ｕ字状）の肩当てを作成する。素材には、  厚手の織物や不織布等がある。これらの素材を簡単に鞍状（逆Ｕ字状）に成形するにはプレスが考えられるが、ここでは、厚手の織物（不織布）の縫合（接合）について説明する。［図１］に示す長さの違う織物（不織布）Ａ及びＢのＡ１とＢ１を縫合（接合）し次にＡ２とＢ２を縫合（接合）し織物（不織布）Ａ及びＢを隙間が無いように重ねると鞍状（逆Ｕ字状）の物が成形される。次にＡ３と  Ｂ３及びＡ４とＢ４を隙間が無いように縫合（接合）することにより鞍状（逆Ｕ字状）の肩当て状の物が成形される。この成形されたＡ面の適宜なところに該草刈払機に付属の肩当て及び吊り下げ用ベルト懸止（挿通）用の面テープまたは、紐をつけ肩当てを完成させる。
【符号の説明】
【０００９】  Ａ  外身頃部
Ｂ  内身頃部
１  鞍状肩当て
２  付属の肩当て
３  吊り下げベル
４  肩当て及び吊り下げベルト懸止（挿通）用面テープまたは、紐
【図１】
2020120646.tif 000003
【図２】
2020120646.tif 000004
【図３】
2020120646.tif 000005
【図４】
2020120646.tif 000006
【図５】
2020120646.tif 000007
【手続補正書】
【提出日】平成31年2月21日(2019.2.21)
【手続補正１】
【補正対象書類名】特許請求の範囲
【補正対象項目名】請求項１
【補正方法】変更
【補正の内容】
【請求項１】
片肩掛け草刈払機を肩全体で支持する、厚みがあり可撓性のある鞍状の肩当てであって、当該鞍状肩当てに、草刈払機付属の肩当て及び吊り下げ用ベルトを繋止用面テープまたは、紐で繋止し使用することを特徴とする片肩掛け草刈払機用肩当て。
【手続補正３】
【補正対象書類名】明細書
【補正対象項目名】０００５
【補正方法】変更
【補正の内容】
【０００５】解決手段は、片肩掛け草刈払機を肩全体で支持する厚みがあり且つ、可撓性のある鞍状［図３］・［図４］肩当てを作成し、当該肩当てに該草刈払機付属の肩当て及び吊り下げ用ベルトを繋止し使用する。
【手続補正４】
【補正対象書類名】明細書
【補正対象項目名】０００６
【補正方法】変更
【補正の内容】
【０００６】  素材に、肩全体で支持する厚みがあり可撓性のあるものを使用することにより、左右どちらに掛けて作業しても違和感はなく、多様な場所や長時間の作業においても安全性に優れ更に、作業効率も上がり疲労感を感じさせないと云う効果がある。
【手続補正５】
【補正対象書類名】明細書
【補正対象項目名】０００８
【補正方法】変更
【補正の内容】
【０００８】  素材に、厚みがあり可撓性のあるものを使用し肩全体で支持する鞍状［図３］・［図４］の肩当てを作成する。素材は多種あるが、約５ｍｍ位の厚みの織物や不織布で説明する。
これらの素材を簡単に鞍状［図３］・［図４］に成形するには、プレスが考えられるが、ここでは、厚み約５ｍｍ位の織物や不織布の接合について説明する。［図１］に示す長さの違う織物、または不織布のＡ及びＢのＡ１とＢ１を接合し、次にＡ２とＢ２を接合し織物、または不織布のＡ及びＢに隙間が無いように重ねると鞍状［図３］・［図］の物が成形される。更にＡ３とＢ３及びＡ４とＢ４を隙間が無いように接合することにより、約１０ｍｍ位の厚みのある鞍状［図３］・［図４］の肩当てが成形される。この成形された当該鞍状［図３］・［図４］肩当てのＡ面の適宜なところに該草刈払機付属の肩当て及び吊り下げベルト繋止用の面テープまたは、紐をつけ、該付属の肩当て及び吊り下げベルトを繋止し鞍状［図３］・［図４］肩当てを完成させる。
【手続補正６】
【補正対象書類名】明細書
【補正対象項目名】０００９
【補正方法】変更
【補正の内容】
【０００９】Ａ  外身頃部
Ｂ  内身頃部
１  鞍状肩当て［図３］・［図］
２  付属の肩当て
３  吊り下げベル
４  肩当て及び吊り下げベルト繋止用面テープまたは、紐
【手続補正７】
【補正対象書類名】図面
【補正対象項目名】図４
【補正方法】変更
【補正の内容】
【図４】
2020120646.tif 000008
【手続補正書】
【提出日】平成31年2月25日(2019.2.25)
【手続補正１】
【補正対象書類名】明細書
【補正対象項目名】０００４
【補正方法】変更
【補正の内容】
【０００４】  前述したように片肩掛け草刈払機で作業をする際、一般的に、該草刈払機付属の肩当て部分が比較的に小さく且つ、平面状の製品が多く、該肩当ての前後へのずれを防止し、草刈払機吊り下げ用ベルトの肩への食い込みを防止しすることにより、作業の安全性と効率向上の課題を解決する。
【手続補正２】
【補正対象書類名】明細書
【補正対象項目名】０００９
【補正方法】変更
【補正の内容】
【０００９】Ａ  外身頃部
Ｂ  内身頃部
１  鞍状肩当て〔図３〕・〔図４〕
２  付属の肩当て
３  吊り下げベル
４  肩当て及び吊り下げベルト繋止用面テープまたは、紐
(57)【要約】【課題】  再生速度を自由に変える。【解決手段】  再生速度を自由に変えられる携帯音楽プレーヤー特徴とする。【選択図】なし【特許請求の範囲】
【請求項１】
再生速度を自由に変えられる携帯音楽プレーヤー。
【発明の詳細な説明】
【技術分野】
【０００１】  この発明は、再生速度を自由に変えられる携帯音楽プレーヤーに関するものである。
【背景技術】
【０００２】  従来、携帯音楽プレーヤーは、再生速度を自由に変える事が出来なかった。
【発明の概要】
【発明が解決しようとする課題】
【０００３】  これは、次のような欠点があった。
従来、携帯音楽プレーヤーは、再生速度を自由に変える事が出来なかった。その為、英会話などの語学教材を聞いている際に、音が聞き取り辛かった。
本発明は、以上のような欠点をなくすためになされたものである。
【課題を解決するための手段】
【０００４】  携帯音楽プレーヤーの再生速度を自由に変える。
本発明は、以上の構成よりなる携帯音楽プレーヤーである。
【発明の効果】
【０００５】  携帯音楽プレーヤーの再生速度を自由に変えられるので、英会話などの語学教材を聞いている際に、音が聞き取り易い。
【発明を実施するための形態】
【０００６】  以下、本発明を実施するための形態について説明する。
携帯音楽プレーヤーの再生速度を自由に変える。
本発明は、以上のような構成である携帯音楽プレーヤーである。
(57)【要約】【課題】  母国語（例えば日本語など）を先に話して、外国語（例えば英語やフランス語など）を後から話す。【解決手段】  母国語（例えば日本語など）を先に話して、外国語（例えば英語やフランス語など）を後から話す、語学教材を特徴とする。【選択図】なし【特許請求の範囲】
【請求項１】
母国語（例えば日本語など）を先に話して、外国語（例えば英語やフランス語など）を後から話す、語学教材。
【発明の詳細な説明】
【技術分野】
【０００１】  この発明は、母国語（例えば日本語など）を先に話して、外国語（例えば英語やフランス語など）を後から話す、語学教材に関するものである。
【背景技術】
【０００２】  従来、語学教材は、外国語（例えば英語やフランス語など）を先に話して、母国語（例えば日本語など）を後から話すものだった。
【発明の概要】
【発明が解決しようとする課題】
【０００３】  これは、次のような欠点があった。
従来、語学教材は、外国語（例えば英語やフランス語など）を先に話すのだが、これでは意味がよく分からなった。
本発明は、以上のような欠点をなくすためになされたものである。
【課題を解決するための手段】
【０００４】  母国語（例えば日本語など）を先に話して、外国語（例えば英語やフランス語など）を後から話す。
本発明は、以上の構成よりなる語学教材である。
【発明の効果】
【０００５】  母国語（例えば日本語など）を先に話して、外国語（例えば英語やフランス語など）を後から話すので、意味がよく分かりやすい。
【発明を実施するための形態】
【０００６】  以下、本発明を実施するための形態について説明する。
母国語（例えば日本語など）を先に話して、外国語（例えば英語やフランス語など）を後から話す。
本発明は、以上のような構成である語学教材である。
(57)【要約】      （修正有）【課題】スマートフォンでの日本語入力を簡易的にできるようにするタッチパネルキーボードあかかさ、たななは、まややら、わわ配列を提供する。【解決手段】スマートフォンの画面において、テンキーでの入力の際に、真ん中の「か」「な」「や」「わ」が両手で入力したいと思う際に指が重なる部分をあえて２つ用意し、キーボードの配列を、あかかさ、たななは、まややら、わわの順番にて並べることによって、指が重なることがなくし、どちらの手からも入力を止めることなく、入力することが可能とする。【選択図】図１
2020067995.tif 000002
【特許請求の範囲】
【請求項１】
キーボードの配列を
あかかさ
たななは
まややら
わわ    で並べる。
【発明の詳細な説明】
【技術分野】
【０００１】  スマートフォンでの日本語入力を簡易的にできるようにする。
【背景技術】
【０００２】スマートフォンでの文字入力が物理キーボードより遅いため、パソコンに変わる作業ができない点を解決したく考案。
【先行技術文献】
【特許文献】
【０００３】
【特許文献１】不明
【非特許文献】
【０００４】
【非特許文献１】なし
【発明の概要】
【発明が解決しようとする課題】
【０００５】テンキーでの入力の際に、真ん中の「か」「な」「や」「わ」が両手で入力したいと思う際に指が重なる部分がある。
【課題を解決するための手段】
【０００６】重なる部分をあえて２つ用意することで、重なる指でも押しやすくする。
【発明の効果】
【０００７】指が重なることがないため、どちらの手からも入力を止めることなく、入力することが可能になる。
【図面の簡単な説明】
【０００８】
【図】この発明の一実施形態を示す図である。
【発明を実施するための形態】
【０００９】この発明の一実施形態を、図に示す。
【図１】
2020067995.tif 000003
(57)【要約】      （修正有）【課題】超高精細テレビ（４Kや８Kと呼ばれる）の映像を、現在もっとも普及している２Kテレビで、同じ精細度、ただしその映像の一部分を受像可能とする方法を提供する。【解決手段】超高精細テレビ（４Kや８Kと呼ばれる）の映像の１画素を、現在もっとも普及している２Kテレビの画面の多画素に割り当て、ただし超高精細テレビの映像の一部分を２Ｋテレビで受像可能とする方法。【選択図】なし【特許請求の範囲】
【請求項１】
４Ｋないし８Ｋの超高精細テレビの画面を現存の２Ｋテレビの画像に同じ精細さで割り当てる機能と、その代わり前者の１部分しか後者に割り当てられない機能を実現する２Ｋテレビ用映像変換法
【発明の詳細な説明】
【技術分野】
【０００１】
本発明は、超高精細テレビ（４Kや８Kと呼ばれる）の映像を、現在もっとも普及している２Kテレビで、同じ精細度、ただしその映像の一部分を受像可能とする方法に関するものである。
【先行技術文献】
【非特許文献】
【０００２】
ビデオ信号の基礎とその操作法：今村元一（CQ出版社）
【発明の概要】
【発明が解決しようとする課題】
【０００３】
解決しようとする問題点は、超高精細テレビの映像を２Kテレビで受像できるよう映像変換する方法についてのものである。
【課題を解決するための手段】
【０００４】
超高精細テレビの映像は、４Kの場合横３８４０画素×縦２１６０画素、８Kの場合横７６８０画素×縦４３２０画素から構成されている。一方２Kテレビにおいては、その映像は横１９２０画素×縦１０８０画素から構成されている。
【０００５】
そこで２Kテレビにおいて、４Kの場合の１画素を横２画素×縦２画素に割り当て、８Kの場合の１画素を横４画素×縦４画素に割り当てれば、同じ精細さを得られることになる。
【０００６】
しかし上記のような割り当てを行えば、２Kテレビにおいてその全画面において４Kテレビの画面の１／４また８Kテレビの画面の１／１６部分しか映し得ない。これは当然な止むを得ない事態であるが、そこでこれに対処するためには４Kないし８Kテレビの画面のどの部分（どこから始まる部分）を２Kテレビの画像にするかを指定する必要がある。
【発明の効果】
【０００７】
本発明の２Kテレビ用映像変換法は、現存の２Kテレビと今後の超高精細テレビ間の非可換性をある制約の下で解決し、両者の長所をそれぞれ生かした新しいテレビ受像方法システムを開発するという利点がある。
【発明を実施するための形態】
【０００８】
この映像変換システム内容には、超高精細テレビ映像の１画素を２Kテレビの複数画素に割り当てる機能と、超高精細テレビ画面のどの部分を２Kテレビの画像に指定するかの機能が必要である。
【実施例１】
【０００９】
本発明システムの実施例の１は、この機能を持つシステムを超高精細テレビの送信側で用意する形態である。この場合の利点は、送信側では超高精細テレビの画面のどの部分を２Kテレビの画像に指定すべきかを送る側の意図として分かっていることにあろう。一方その欠点は、このために新たにこれ専用送信の信号チャネルを別に必要とすること、また送信側では本来超高精細映像を全て送りたいゆえ余り熱意の沸かないことが挙げられるであろう。
【実施例２】
【００１０】
本発明システムのもう一つの実施例の２は、この機能を持つシステムを２Ｋテレビの受信側で用意する形態である。つまり２Ｋテレビの入力前装置として、このシステムを個々に持つ。この場合の利点は、対象とする超高精細テレビの画面のどの部分を２Kテレビの画像に取り込むかをユーザ側で好きなように選択できることである。その代わりの欠点は、このシステムをユーザが自己負担で準備しなければならない。
(57)【要約】【課題】高度集積回路を装置が安価で運転ランニングコストが安い密着露光方法を得る【解決手段】グラフエン薄膜に回路を描画した露光マスクを、小さい分子で露光光を吸収しにくくかつ物質に浸透しやすい、例えば水素気体、ヘリウム気体の雰囲気にて密着露光し、この時露光マスクを分割して露光する。そして各露光前に露光マスクをフオトレジストに一部密着したまま位置合せを実施する。【特許請求の範囲】
【請求項１】
グラフエン薄膜に回路パターンを有する露光マスクをフオトレジストに密着して露光する密着露光方法。
【請求項２】
露光マスクを分割して露光し、その各露光前に位置合わせをする請求項１記載の密着露光方法。
【請求項３】
露光マスクとウエハをクーロン力にて引き合ったり反発させる請求項１記載の密着露光方法。
【請求項４】
露光マスクとフオトレジスト周囲を低分子で物質浸透性の良い例えば水素気体やヘリウム気体を満して露光する請求項１記載の密着露光方法。
【発明の詳細な説明】
【０００１】  本発明は半導体集積回路製作のためのリソグラフイーに関する。
【背景技術】
【０００２】  従来密着露光方法は安価のため集積度の低い初期のリソグラフイーに利用されていた。しかし最近は高集積度を達成するため、極短波長紫外線にて結像する高価でスループツトの低い露光方法が利用されている。【０００３】  そこで露光装置が安価で、光源の利用効率の良い、高集積度を高スループツトで達成できる密着露光方法が求められていた。
【先行技術文献】
【０００４】
【非特許文献１】東京大学大学院理学系研究科物理学専攻、福山研究室
【非特許文献２】リソグラフイー光学、応用物理学会、ニコン、松本宏一講義
【発明の概要】
【発明が解決しようとする課題】
【０００５】  非特許文献２に示されているように、露光マスクとウエハを密着させたときに生じる露光マスクの損傷や汚染、密着の際にマスクとウエハの平面度、熱的変形、機械的変形が作用して重ね合わせ精度を低下、又フオトレジストとマスクとの間に気体の空間が生じると光の回折による解像力の低下が生じていた。【０００６】  本発明方法は、このような従来の問題を解決しようとするものであり、密着露光により光の結像系が必要でなくなり、極短紫外線、ＥＵＶ光を用いることにより高解度を得、露光光源の有効利用により省エネで安価で高性能露光方法を提供しようとするものである。
【課題を解決するための手段】
【０００７】  そして本発明は、上記目的を達成するために、非特許文献１に示されている摩擦係数の小さい熱伝導率が大きく非常に強靱で軽いグラフエン薄膜を露光マスクに使用し、ウエハ、露光マスクそして光源が存在する空間を水素、ヘリウム等の分子が非常に小さく光源と相互作用が少なく又物質に浸透しやすい気体で満たし又露光マスクの位置合せを正確に実施するため露光マスクを分画して露光し、露光マスクの各小範囲を露光直前にその都度露光マスクが一部フオトレジストに密着した状態にて位置合わせを実施している
【発明の効果】
【０００８】  本発明密着露光方法は、上記のような形態をとつているので、グラフエン薄膜は電導性が良く軽く強靱かつ摩擦係数が小さいのでグラフエン薄膜の露光マスクを非常に小さい力で位置合わせし密着させることができ、又その密着力も調節が容易であり反対に反発力も与えることができる。【０００９】  露光マスク周囲を水素やヘリウム気体で満たすと、水素分子やヘリウム分子はグラフエン薄膜をかなり自由に通過することができるため、水素分子やヘリウム分子は露光マスク内部、両表面の炭素原子に吸着し、又水素分子やヘリウム分子の熱分子運動によりグラフエン薄膜より飛び出してフオトレジスト側にある微粒子やアウトガスに衝突し又微粒子の内部や周囲に水素分子やヘリウムガスがまといつき露光マクに付着し難い。【００１０】  グラフエン薄膜は強靱かつ柔軟性があるため、ウエハとグラフエン薄膜間に電圧をかけるとフオトレジスト表面にぴたりと密着する。又反対に同じ電位とすると反発し露光マスクはフオトレジスから離れる。この時水素分子やヘリウム分子は容易にグラフエン薄膜を通過したり、フオトレジストと露光マスク間隙を移動するので、すばやく露光マスクをフオトレジストから離して次の露光場所に移動することが出来る。
そして露光マスクをフオトレジスにすばやく密着できている。【００１１】  露光マスクを分割して露光し、その都度フオトレジストに軟く密着して各露光前に位置合わせを行うと、露光マスク全体の位置ズレは非常に小さくなる。
非特許文献１に示されているように、グラフエン薄膜は熱伝導率が非常に良く、かつ薄膜のためウエハと周囲にある気体により露光マスクの温度管理は容易である。
【発明を実施するための形態】
【００１２】  以下本発明密着露光方法の実施例を説明する。
【実施例】
【００１３】  露光マスクはフオトレジストに軽く密着したままで位置合わせを行うが、移動時はホトレジストと露光マスクは少し離しているので、すばやく次の露光部位に移動できている。【００１４】  フオトレジスト上の微粒子やアウトガスは、グラフエン薄膜の周囲にまとわりついた水素分子やヘリウム分子に阻まれ露光マスクに接着し難い、その上グラフエン薄膜の格子状細目から熱運動による水素分子やヘリウム分子が吹き出すため余計に接着が阻まれるため、露光マスクの汚染、損傷が防がれている【００１５】  非特許文献１に示されているように、グラフエン薄膜は強靱かつ柔膜なためフオトレジストに密着でき、その時は薄膜に回路パターンを設けることによる歪は解消せれている。【００１６】  ＥＵＶ光は非常に物質に吸収されやすいが、水素ヘリウム又炭素は比較的透過するため使用するＥＵＶ光源は低出力で良く、構造が簡単なため安価で使用電力は少なくてすむ【００１７】  炭素吸収の少ない現在使用されているＥＵＶ光の波長より短い、いわゆる炭素の窓の波長の光源を使用すると、より解像度の高度化が実現する。
【産業上の利用可能性】
【００１８】  本発明は半導体集積回路製作時のリソグラフイーに利用できる。
(57)【要約】      （修正有）【課題】追突事故や転倒によって廃車となったスクーターを汎用の動力源として再活用する動力ユニット関連のビジネスモデルを提供する。【解決手段】動力ユニット関連のビジネスモデルは、後輪軸を支えるスイングアームと一体に装置され、上下に揺動するエンジンと変速機を備えたスクーターにおいて、廃車又は事故車又は不要になった車両から、エンジンと変速機を含むスイングアーム部分を取り出し、新たな動力ユニットとして販売、又は貸し出し、又は修理や改造を行う、又は動力ユニットに関する作業及び経営の指導を行う。【選択図】図１
2020184284.tif 000002
【特許請求の範囲】
【請求項１】
後輪軸を支えるスイングアームと一体に装置され、上下に揺動するエンジンと変速機を備えたスクーターにおいて、廃車又は事故車又は不要になった車両から、エンジンと変速機を含むスイングアーム部分を取り出し、新たな動力ユニットとして販売、又は貸し出し、又は修理や改造を行う、又は動力ユニットに関する作業及び経営の指導を行う、ビジネスモデル。
【請求項２】
エンジンと変速機を含む動力ユニットは、以下のいずれか、又はいずれか複数の特徴を有する、請求項１に記載のビジネスモデル。
１、燃料タンクと出力制御用スロットルを、セットにした。
２、エンジン始動用のバッテリーを、セットにした。
３、後輪を取り外し、出力軸となる車軸に、カップリング、又はプーリー、又は歯車、又はフランジ接手を取り付けた。
４、エンジンを水冷とし、ラジエターを、セットにした。
５、エンジンを水冷とし、冷却水配管に水道水を流入可能に装置した。
６、エンジンを水冷とし、冷却水配管から温水を取り出し可能に装置した。
７、動力ユニットの略全体を覆うカバーを装置した。
８、スクーターの発電機にインバーターを接続し、１００ボルトの家庭用電源を取り出し可能とした。
９、スクーター本体の発電機とは別の、専用発電機を接続した。
１０、スクーターのスタンドを流用し、動力ユニットを自立可能に装置した。
１１、後輪タイヤを取り外し、ホイール又はリム部に加工を施し、動力を取り出し可能とした。
【請求項３】
以下のいずれか、又はいずれか複数の特徴を有する、請求項１又は２に記載のビジネスモデル。
１、インターネットを使用して、廃車又は不要になったスクーターの情報を収集する。
２、インターネット上で、廃車又は不要になったスクーターの査定・買取りシステムを運営する。
３、廃車又は不要になったスクーターの、オークションを運営する。
【請求項４】
請求項１から３のいずれかに記載の業態を、フランチャイズ展開するビジネスモデル。
【発明の詳細な説明】
【技術分野】
【０００１】本発明は、不要となったスクーターを再利用し、動力ユニットとして販売するビジネスモデルに関する。
【背景技術】
【０００２】エンジンで走行するスクーターは、古今東西、大量に市販されているが、事故や転倒などて廃車になった場合、使途が無く、処分する以外に選択肢が無かった。
しかし、スクーターの構造上、追突事故で前部が破損したり、転倒で側面が破損しても、エンジンを含むスイングアーム及び後輪は、無傷の場合が多く、使用可能なエンジンを処分するのは無駄であった。
【先行技術文献】
【特許文献】
【０００３】無し。
【発明の概要】
【発明が解決しようとする課題】
【０００４】追突事故や転倒によって廃車となったスクーターは、後部のエンジンは使用可能な場合が多く、処分するのは無駄であり、これを、汎用性が高くて廉価な動力源として、再活用するビジネスモデルが求められていた。
不要となったスクーターを処分する際、使用可能なエンジンまで処分するのは無駄であり、再生し、他の使途に効率よく活用する必要がある。
【課題を解決するための手段】
【０００５】課題を解決する為には、本発明の請求項１から請求項４のいずれかに記載された構成を１つ、又は複数選択して採用する。その内容は、概略、以下の構成を指す。
１、事故車・廃車など、処分されるスクーターを収集する。
２、エンジンを含むスイングアーム部分を取り出し、動力ユニットに再生する。
３、動力ユニットとして販売する。
【発明の効果】
【０００６】本発明の、請求項１から請求項４のいずれかに記載された構成を複数採用すれば、前述の課題を、全て完璧に解決する事ができる。
廃車となったスクーターは、極めて廉価で入手可能なので、これに付加価値を付けて販売できれば、大きなリサイクル市場を構築できる。
【図面の簡単な説明】
【０００７】
【図１】スクーターの正面図を表す。
【発明を実施するための形態】
【０００８】本発明を実施し、課題を解決する為の形態や構成は、請求項１から請求項４に詳述された通りであり、そのいずれか、又はいずれか複数を選択すれば良い。その構成の一例を、図を使用して説明する。
【実施例】
【０００９】図１は、スクーターの正面図である。追突事故や転倒などで廃車となる車両は、図の左側、即ち前部が破損している場合が多く、エンジン部分は無傷の場合が多い。
そこで、無段変速機とエンジンを含むスイングアーム部分と、内臓された燃料タンクを取り出し、後輪の車軸から動力を取り出し可能に構成すれば、汎用エンジンとして十分活用できる。
【産業上の利用可能性】
【００１５】本発明の、請求項１から請求項４の、いずれかに記載された構成を、１つ又は複数選択して採用すれば、前述の課題を全て解決する事が可能で、無段変速機付き汎用エンジンを低価格で市販できる。
このビジネスモデルを構築する事により、無駄を削減し、汎用エンジンを市場に広く普及させれば、発電、水の汲み上げ、ベルトコンベアーの駆動などに利用可能で、特に、災害時の動力原を廉価で確保できる。
【符号の説明】
【００１６】  １、スイングアームと一体化された、スクーターのエンジン
２、ＣＶＴによる無段変速装置
３、後輪
４、内蔵された、燃料タンク
５、燃料タンクキャップ
【図１】
2020184284.tif 000003
(57)【要約】      （修正有）【課題】元来、円周率は円周を測定した円周距離を円の直径で分割したため永遠に続く近似値になっている。【解決手段】発明者乾政信が求める概念（希望）の統一数理光学によって円と円周率πを解明するために法則を発見し、中心点から正しく定数として解明する法則計算を完成させた。正確な半径による円と円周率の確定することができるπ定数の確定。円周を定める基準数値の確定。中心点からの半径×ｓｉｎ１（基準数値）となる。直径からπを求める基準数値の確定。直径×π＝３６０×基準数値による円周の２分の１から３．１４１４３３１５９という法則が発見できた。円からうまれる基準数値並びに定数は今日まで近似値であった。この法則計算によりπ＝３．１４１４３３１５９（定数）と改め、発明者の希望により、円から生まれた全ての定数を乾の定理と命名する。【選択図】図５
2020184281.tif 000002
【特許請求の範囲】
【請求項１】
本発明に伴う円からうまれる基準数値並びに定数。
【発明の詳細な説明】
【技術分野】
【０００１】  本発明は円からの法則計算に関する、円周率、三角関数、ルート、三平方の定理の基準数値並びに定数の確定に関する。
【発明の概要】
【発明が解決しようとする課題】
【０００２】  元来の円周率は円周を測定した円周距離を円の直径で分割したため永遠に続く近似値になっている。円周率の数値は確定されておらず、現在も円と円周率の基準数値は確定されていないため様々な分野で不具合が発生しており、１日も早く円と円周率の確定が必要となる。【０００３】  太陽光エネルギーを活用するために精密な集光レンズが必要となった。平行光線からのレンズの設計製作にあたり、円からの円周率、三角関数、ルート、三平方の定理等の基準数値並びに定数が完成した。
【発明の開示】
【０００４】
【図１】
証明するのに必要な図面
【０００５】  円と円周率の法則計算の概念と定義について
円周の法則距離計算については、円周は円の曲線であるが、中心点からすると円の半径距離が常に円周線に対して直角である為、独自の考え方から半径距離を基準として直角は９０度分の１、直径は１８０度分の１及び、円周は３６０度分の１をｓｉｎ１と定め円周線上の空間に直角直線の法則に基づく基準数値を確定し、中心点を基準に半径を１方向に進めることにより基準数値に時間を含む回数を掛け合わせることによって、直線の距離計算と等しく円周の距離計算を確定させる概念を持って円と円周率の法則計算を定義した。
【０００６】  直線距離計算と円周距離計算との統一証明
光学及び物理学的に証明すると直線距離の確定については直角基準数値の１方向移動によって直線の法則計算距離が確定する。円と円周についても中心点からすると半径距離が常に円周線に対して直角であり、基準数値の１方向移動による法則計算によって円周距離が確定し、従来からの円周率（π）を改め正しく定数として確定する。直線と円に与えられた条件は、光線が円周線を通過して中心点に向かう時の直角を保持して基準数値を定める概念によって、直線距離計算と円周距離計算との法則定義が統一することが証明された。
【０００７】  円周と円周率の法則計算の証明
円周の基準数値確定については半径を１ｍ（１０００ｍｍ）と定める。
（半径距離）１，０００ｍｍ×ｓｉｎ１＝１７．４５２４０６４４ｍｍ（基準数値）
（１）（半径角度）      ９０度×１７．４５２４０６４４＝１５７０．７１６５８ｍｍ（定数）
（２）（直径角度）    １８０度×１７．４５２４０６４４＝３１４１．４３３１５９ｍｍ（定数）
（３）（円周角度）    ３６０度×１７．４５２４０６４４＝６２８２．８６６３１８ｍｍ（定数）
（４）（円周距離）直径×３．１４１４３３１５９（円周率）＝６２８２．８６６３１８ｍｍ（定数）
法則計算による円周率の確定
（１）（半径からの円周率）円周距離の４分の１＝１５７０．７１６５８ｍｍ（基準数値）
（２）（直径からの円周率）円周距離の２分の１＝３１４１．４３３１５９ｍｍ（定数）
＊  １ｍ基準の円周率（π）＝３．１４１４３３１５９（定数）として確定した。
【０００８】円と円周率の基準数値およびπ定数に関連するその他の基準数値
法則計算に基づく基準数値
半径１ｍ（１０００ｍｍ）×ｓｉｎ１＝１７．４５２４０６４４（基準数値）×１８０＝３１４１．４３３１５９ｍｍ（π定数）
三角関数  半径１ｍ（１０００ｍｍ）  ×ｓｉｎ４５＝７０７．１０６７８１２ｍｍ（基準数値）
円の面積  円周距離６２８２．８６６３１８ｍｍ×半径１ｍ（１０００ｍｍ）÷２＝３１４１４３３．１５９ｍｍ２（定数）
ルート（√）直径  （長辺）２０００ｍｍ×ｓｉｎ４５＝１４１４．２１３５６２４ｍｍ（円内正方形の定数）
三平方の定理  Ａ２＝Ｂ２＋Ｃ２＝全面積８，０００ｍｍ２（定数）
【発明の効果】
【０００９】  円と円周率の確定によって正確に計算が可能となり、誤差による問題の発生を抑止することができる。現在の科学は精密な計算が必要となり、これまでの定数化されない円周率では誤差の発生のため、あらゆる分野のトラブルの原因になっている。精密な製品が制作することが可能となる。大規模集積回路による計算、土木建築の設計施工、計算を使用するプログラミング、システム、ＩＯＴの演算、宇宙開発事業の計算を必要とする事業、精密レンズの設計作成、スーパーコンピュータ、量子コンピューター、精密な計算を必要とする、全ての産業に必要となる。円と円周率の定数化により精密な計算が可能となりこれまでにないほど正確な科学技術が発展することで地球人類の平和と安全で便利な生活環境が実現する。
【図面の簡単な説明】
【００１０】
【図１】本発明の円からの円周率πの証明する図を示す。
【図２】円からの半径を基準とした三角関数に関する定義の証明を示す。
【図３】円の直径からのルートの証明を示す。
【図４】円の直径からの三平方の定理の証明を示す。
【図５】合成図
【図１】
2020184281.tif 000003
【図２】
2020184281.tif 000004
【図３】
2020184281.tif 000005
【図４】
2020184281.tif 000006
【図５】
2020184281.tif 000007
(57)【要約】      （修正有）【課題】輪にしたブラシを２つ、つなぎにした、ツイン、ダブルのキッチンたわしを提供する。【解決手段】一定の部材１に、ブラシ２を設け、一定の部材１に、ブラシ２を挟み、設け、一本のブラシ２を成形する。成形した一本のブラシ２を輪３に成形する。一定の部材１を輪３に成形した、ブラシ２の穴をやや、広げ、もう一方の輪３に成形したブラシ２の穴に押し込み、２つ、つなぎのたわしを成形する。さらに、末端部材６は、しっかり固定したことを特徴とする、ツインダブルのキッチンたわしである。【選択図】図１
2020065901.tif 000002
【特許請求の範囲】
【請求項１】
一定の部材にブラシを設け、一定の部材にブラシを挟み設け、一本のブラシを成形する。その一本のブラシを輪に成形し、一定の部材の末端部材をやや広げて、もう一方の輪に成形したブラシの穴に押し込み、設け、２つつなぎのたわしに成形し、さらに、末端部材は、しっかり固定したことを特徴とする一定部材にブラシをつけたツイン、ダブルのキッチンたわし。
【発明の詳細な説明】
【技術分野】
【０００１】  本発明は、一定の部材にブラシをつけたツイン、ダブルのキッチンたわしに関するものである。
【背景技術】
【０００２】  従来、袋ろにたわしを入れた、キッチン道具があった。
【発明の開示】
【発明が解決しようとする課題】
【０００３】  そのために、次のような問題点があった。
（イ）  袋ろがかさばりすぎて、キッチンの手共が、あつかいにくかった。
（ロ）  袋ろを丸くちぢめた固定部に、カビがでがちであった。
本発明は、これらの問題点を解決するためになされたものである。
【課題は解決するための手段】
【０００４】一定の部材２本を設け、一定の部材２本の末端をネツジった部材に適宜に束ねたブラシを挟み、さらに２本の部材を交互に挟みながら一本のブラシを成形する。一本のブラシを成形したもう一方の２本の部材の一端をネジり、輪に成形する。輪に成形した、ブラシの穴にもう一つの輪に成形したブラシの末端の部材（６）を、やや広げて、もう一方の輪にした穴に押し込み２つのつなぎのたわしに成形する。２つ、つなぎのたわしの部材（１）の末端がブラシの穴に噛でいるので、はづれて部材がとびでる心配はないのである。また輪に成形した互いのたわしの穴にしっかりブラシが噛み合って固定されているので安心である。また、一方が擦りへったら、２つ、つなぎのたわしの位置を替えて使うこともできるので長が持ちして経済てきである。さらに、ブラシとブラシの間だにやや隙間を設けているので水の切れがよく衛生である。手の平サイズの手共で握れるので凹凸の多い道具類器を傷める心配はないのである。また、多種多用に使えるたわしである。一つのたわしを、２つつなぎに成形した以上を特徴とする、ツインダブルのキッチンたわしである。
【発明の交果】
【０００５】手の平サイズの２つのつなぎのたわしを握ったときの感触に違和感のない形状であり、また適度なブラシの間隔は凹凸の多いキッチン道具を洗ったときに、交互に部材を押し込んで固定ししているので、接触しても、器道具が傷づつきにくいのである。また、２つつなぎのたわしの成形なので、一方が擦りへったらもう一方に替えることができる利点があり、経済てきである。一つのたわしを２つ、つなぎに成形した倍々の交果が生れやすいのである。また、たわしが小形すぎたのが、偶然の発そうである。
【発明を実施するための最良の形熊】
【０００６】  以下、本発明の実施の形熊について説明する。
（イ）一定の部材（１）２本を設け、一定の部材（１）の２本の末端をネジる。
（ロ）一定の部材（１）に適宜に束ねたブラシ（２）を挟み、さらに、２本の部材（１）とブラシ（２）を交互に挟みながら、
（ハ）一本のブラシ（２）を成形する。なお、一本のブラシ（２）を、成形したもう一方の２本の部材（１）の一端をネジり、
（ニ）輪（３）を成形する。輪（３）に成形したブラシの、
（ホ）穴（４）を設ける。輪（３）に成形したブラシ（２）の末端の部材（６）をやや広げて、もう一方の輪（３）に成形した、穴（５）に押し込み、２つつなぎのたわし（５）に成形する。
（ヘ）２つつなぎのたわし（５）の部材（１）は、互いの穴（４）に噛んでいるので、はづれて、部材（１）の末端が飛びでる心配は、ないのである。
本発明は、以上のような構成で、これを使用するときは、２つ、つなぎにつながった、たわし（５）を握ったあと、多々ある器類の凹凸に使い易すく、深くて狭い隙まなどにも、ブラシ（２）の先端がとどきやすく汚れが落しやすいのである。また、ブラシ（２）ブラシ（２）にやや隙まを持たしているので水の切れもよく、衛生てきであり、カビの心配はない。輪（３）に成形した、互いのたわし（５）の穴（４）にしっかり、一定の部材（１）の一端とブラシ（２）ブラシ（２）の部材（１）の一端が噛み合って固定されているので、ゆるむ心配はないのである。さらに、一方が擦りへったら、ダブルのたわし（５）の位置を、替えて使うことができるので、すごく長もちするので経済てきである。手の平サイズで握ぎれるので、小廻りのきくツイン、ダブルのたわしである。
【図面の簡単な説明】
【０００７】
【図１】本発明の実施例を示す斜視図
【図２】本発明の正面図
【図３】本発明の正面図
【符号の説明】
【０００８】１  一定の部材
２  ブラシ
３  輪
４  穴
５  ダブルのたわし
６  末端部材
【図１】
2020065901.tif 000003
【図２】
2020065901.tif 000004
【図３】
2020065901.tif 000005
(57)【要約】      （修正有）【課題】増えて続けるカードを探しやすく、出し入れしやすくした、新しいタイプのカードケースを提供する。【解決手段】カードファイルにカードを差込むポケット２を設け、カード類５を取り出しやすくする為、ポケットの出し入れ口をカードファイルの外側に設け、これを数枚重ねて綴じる。カードが飛び出さないように外側をプラスチックケース７で囲い、簡単に開閉が出来るようにフック型の留め具８を装着する。本品は長財布と同じ大きさとし、長財布と併用して使用する。【選択図】図２
2020065890.tif 000002
【特許請求の範囲】
【請求項１】
長財布と併用して使用。カードを取り出しやすくする為、基本となるカードファイル［図１］は  出し入れ口をファイルの外側に設けた。これを数枚重ねて綴じ、大容量のカードファイルにした。カードを入れるポケットは出し入れしやすいように、土台よりも短くする。カードが飛び出さないように外側をプラスチックケースで囲み、簡単に開閉が出来るように、フック型の留め具を装着してあることが特徴です。
【発明の詳細な説明】
【技術分野】
【０００１】  この発明は、増え続けるカードを  探しやすく、出し入れしやすくした、新しいタイプのカードケースに関する物である。
【背景技術】
【０００２】  従来、大容量のカードケースは取り出し口がファイル内側の綴じ部にあり、取り出しにくい物であった。
【発明の概要】
【発明が解決しようとする課題】
【０００３】  従来の大容量のカードケースは取り出し口が内側の綴じ部に在る為、取り出しにくい物である。カードを素早く取り出せるように取り出し口を外側に設けた。
【課題を解決するための手段】
【０００４】  カードを取り出しやすくする為、基本となるカードファイル［図１］は  出し入れ口をファイルの外側に設けた。これを数枚重ねて綴じる。カードを入れるポケットは出し入れしやすいように、土台よりも短くする。カードが飛び出さないように外側をプラスチックケースで囲み、簡単に開閉が出来るように、フック型の留め具を付け、カチッと留められるようにする。
【発明の効果】
【０００５】  本発明は財布と併用して使用するものとする。カードはファイルポケットに一枚を収納し、整理しやすくする。ポケット上部を色付きの半透明にしてあるので、カードが見やすく探しやすく出し入れも簡単になる。ポケットからカードが飛び出さないように、プラスチックケースで囲み、フック型の留め具を付ける。カードだけの保管なので出し入れの際の財布の汚れ具合も減少する。
【図面の簡単な説明】
【０００６】
【図１】本発明の基本となるカードファイルの外観図と断面図
【図２】本発明のプラスチックケースを付けた外観図と断面図
【発明を実施するための形態】
【０００７】  以下、本発明を実施するための形態について説明する。
本発明のサイズは財布と併用して使用する為、長財布と同じ大きさにした。カードを財布と別にすることにより、大容量の収納になり、整理しやすく取り出しやすくなる。ケースは汚れ難く、傷まず、軽く、安価に出来るよう素材はプラスチックが良い。また、カードケースの土台を数枚ずつ色分けすると、カードを種類別に分けて収納することが出来る。カードが飛び出さないように外側をプラスチックケースで囲み、簡単に開閉が出来るように、フック型の留め具を付け、カチッと留められるようにする。
【符号の説明】
【０００８】  ア  基本となるカードファイル全体の仕組み
イ  基本となるカードファイルの仕組みの断面図
１  カードケース土台
２  カードを差込むポケット
３  接着部分
４  綴じ部分
５  カード類（Ａ．Ｂ．Ｃ）
６  断面図の切り線
ウ  全体図
エ  全体図の断面
７  外側ケース
８  フック型の留め具部分
【図１】
2020065890.tif 000003
【図２】
2020065890.tif 000004
(57)【要約】【課題】    手（３）が開く（反り返る）時には、本体（１）の、じゃばら（４）が縮んで元へ戻り、（図２参照）、握る時にはじゃばら（４）が伸び、手の指にピッタリと収まる（図３参照）ような、じゃばら付き手用装具を提供する。【解決手段】  じゃばら付きの本体（１）に、指の関節に合うように、手（３）を装着させ、装着装置（２）を、各々の指にはめた、じゃばら付き手用装具を特徴とする。【選択図】図１
2020065894.tif 000002
【特許請求の範囲】
【請求項１】
手用のじゃばら付き手用装具。
【請求項２】
じゃばら（４）をゴム、スプリングで補強した、請求項１記載のじゃばら付き手用装具。
【請求項３】
マッジクテープ以外の、他の素材で造った装着装置（２）の、請求項２記載のじゃばら付き手用装具。
【請求項４】
本体（１）と一体成型で作った装着装置（２）の、請求項３記載のじゃばら付き手用装具。
【請求項５】
反り返る素材で造った、請求項４記載のじゃばら付き手用装具。
【請求項６】
掌（手の平）、つまり手の内に付けるタイプの、請求項５記載のじゃばら付き手用装具。
【発明の詳細な説明】
【技術分野】
【０００１】  この発明は、じゃばら付きの本体（１）に、指の関節に合うように、手（３）を装着させ、反り返る素材で手（指）を開閉させる、じゃばら付き手用装具に関するものである。
【背景技術】
【０００２】  従来、たとえば、脳卒中になった場合、一般的に、手を握る事は出来ても（いわゆるグー）、手を開く（反り返す）事は出来ない（いわゆるパー）。それで、手を握り締めたままで、開く事は出来なかった。
【発明の概要】
【発明が解決しようとする課題】
【０００３】  これは、次のような欠点があった。
従来、脳卒中になった場合、一般的に、手を握る事は出来ても（いわゆるグー）、手を開く（反り返す）事は出来ない（いわゆるパー）。介護箸（ばし）の様な食器は、あるにはあったが、食事の時のみ使う物で、常時、身に着ける物はなかった。
本発明は、以上のような欠点をなくすためになされたものである。
【課題を解決するための手段】
【０００４】  まず、じゃばら付きの本体（１）に、指の関節に合うように、手（３）を装着させる。そのやり方は、装着装置（２）、例えば、マジックテープ（登録商標）とかで、各々の指にはめる。この時、じゃばら（４）が、ポイントで、開く（反り返る）時には、じゃばら（４）が縮んで元へ戻り、（図２参照）、握る時には、じゃばら（４）が伸び、手（３）の指にピッタリと収まるのである。（図３参照）
尚、本体（１）は、ポリエチレンとかポリプロピレンとかポリ塩化ビニルとか、反り返る素材の物であれば、何でも良い。
本発明は、以上の構成よりなる、じゃばら付き手用装具である。
【発明の効果】
【０００５】  この、じゃばら付き手用装具のおかげで、手を握ったり、開く事ができ、脳卒中などの治療やリハビリにも、効果がある。
【図面の簡単な説明】
【０００６】
【図１】  本発明の全体の説明図である。
【図２】  本発明の手を開いた状態を示した説明図である。
【図３】  本発明の手を握った状態を示した説明図である。
【図４】  本発明の正面図である。
【図５】  本発明の背面図である。
【図６】  本発明の上面図である。
【図７】  本発明の下面図である。
【図８】  本発明の右側面図である。
【図９】  本発明の左側面図である。
【発明を実施するための形態】
【０００７】  以下、本発明を実施するための形態について説明する。
（イ）  手用のじゃばら付き手用装具。
（ロ）  じゃばら（４）をゴム、スプリングで補強した、じゃばら付き手用装具。
（ハ）  マッジクテープ以外の、他の素材で造った装着装置（２）の、じゃばら付き手用装具。
（ニ）  本体（１）と一体成型で作った装着装置（２）の、じゃばら付き手用装具。
（ホ）  反り返る素材で造った、じゃばら付き手用装具。
（ヘ）  掌（手の平）、つまり手の内に付けるタイプの、じゃばら付き手用装具。
【符号の説明】
【００８】    １  本体
２  装着装置
３  手
４  じゃばら
５  空気穴
【図１】
2020065894.tif 000003
【図２】
2020065894.tif 000004
【図３】
2020065894.tif 000005
【図４】
2020065894.tif 000006
【図５】
2020065894.tif 000007
【図６】
2020065894.tif 000008
【図７】
2020065894.tif 000009
【図８】
2020065894.tif 000010
【図９】
2020065894.tif 000011
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
手用のじゃばら付き手用装具。
【請求項２】
面ファスナー以外の、例えば、紐や布やフライス編みなどの、他の素材で造った装着装置（２）である、請求項１記載のじゃばら付き手用装具。
【請求項３】
本体（１）と一体成型で作った装着装置（２）である、請求項２記載のじゃばら付き手用装具。
【請求項４】
反り返る素材で造った、請求項３記載のじゃばら付き手用装具。
【手続補正２】
【補正対象書類名】明細書
【補正対象項目名】０００６
【補正方法】変更
【補正の内容】
【０００６】
【図１】  本発明の全体の説明図である。
【図２】  本発明の手を開いた状態を示した説明図である。
【図３】  本発明の手を握った状態を示した説明図である。
【図４】  本発明の正面図である。
【図５】  本発明の背面図である。
【図６】  本発明の上面図である。
【図７】  本発明の下面図である。
【図８】  本発明の右側面図である。
【図９】  本発明の左側面図である。
【図１０】  一体成型で作った本発明の本体の親指の斜視図である。
【図１１】  一体成型で作った本発明の下面図である。
【手続補正３】
【補正対象書類名】図面
【補正対象項目名】図１０
【補正方法】追加
【補正の内容】
【図１０】
2020065894.tif 000012
【手続補正４】
【補正対象書類名】図面
【補正対象項目名】図１１
【補正方法】追加
【補正の内容】
【図１１】
2020065894.tif 000013
(57)【要約】【課題】  梅干のクエン酸を、霧吹き状にして噴霧する。【解決手段】  梅干のクエン酸を、霧吹き状にして噴霧する方法を特徴とする。【選択図】なし【特許請求の範囲】
【請求項１】
梅干のクエン酸を、霧吹き状にして噴霧する方法。
【発明の詳細な説明】
【技術分野】
【０００１】  この発明は、梅干のクエン酸を、霧吹き状にして噴霧する方法に関するものである。
【背景技術】
【０００２】  従来、弁当などの食中毒を防ぐ方法としては、梅干をご飯の上に乗せるものだった。
【発明の概要】
【発明が解決しようとする課題】
【０００３】  これは、次のような欠点があった。
従来、弁当や食物などの食中毒を防ぐ方法としては、梅干をご飯の上に乗せるものだったが、これは梅干の周囲のみ食中毒菌を死滅させるのみであり、まわりは食中毒菌が依然、繁殖していた。またアルコールで除菌するという方法もあったが、アルコールは直ぐに蒸発してしまい、また、まわりには食中毒菌が繁殖していた。
本発明は、以上のような欠点をなくすためになされたものである。
【課題を解決するための手段】
【０００４】  梅干のクエン酸を、霧吹き状にして噴霧する。
本発明は、以上によりなる方法である。
【発明の効果】
【０００５】  梅干のクエン酸を、霧吹き状にして噴霧するだけなので、除菌効果が高く、味も良い。
【発明を実施するための形態】
【０００６】  以下、本発明を実施するための形態について説明する。
梅干のクエン酸を、霧吹き状にして噴霧する。
本発明は、以上によりなる方法である。